(57)【要約】【課題】顔の経年変化に対応することができ、よって顔照合の照合率が向上し、事務の効率化や審査の省力化、所持者へのサービス向上が図れる証明用媒体を提供する。【解決手段】運転免許証のように、所有者の顔画像や人定事項（個人情報）を券面上に印刷する証明用媒体において、内蔵するＩＣチップに利用されるごとに最新のものに更新される利用時に本人確認のための顔照合に利用される最新顔情報テンプレートを記録する。【選択図】      図４
2005122395.tif 000002
【特許請求の範囲】
【請求項１】
情報を記憶する記憶手段を備え、かつ、当該証明用媒体所有者の個人情報および顔画像が表面に記録されていて、前記記憶手段には前記個人情報に対応する個人情報および当該証明用媒体が利用されるごとに最新のものに更新される当該証明用媒体の利用時に本人確認のための顔照合に利用される第１の顔情報が記録されることを特徴とする証明用媒体。
【請求項２】
前記記憶手段には、さらに、前記表面に記録された顔画像に基づき作成され、当該証明用媒体の利用時に本人確認のための顔照合に利用される第２の顔情報が記録されることを特徴とする請求項１記載の証明用媒体。
【請求項３】
前記記憶手段には、さらに、当該証明用媒体の利用時に本人確認のための顔照合を行なった際に過去最高類似度が得られた第３の顔情報が記録されることを特徴とする請求項１記載の証明用媒体。
【請求項４】
人物の顔画像を取得する画像取得手段と、
前記人物の証明用媒体発行に必要な個人情報を取得する個人情報取得手段と、
前記画像取得手段により取得された顔画像および当該顔画像に対応する前記個人情報取得手段により取得された個人情報を、少なくとも個人情報記録領域および当該証明用媒体が利用されるごとに最新のものに更新される当該証明用媒体の利用時に本人確認のための顔照合に利用される顔情報が記録される顔情報記録領域を有する記憶手段を備えた未発行状態の証明用媒体の表面に印刷する印刷手段と、
前記個人情報取得手段により取得された個人情報および前記画像取得手段により取得された顔画像を前記証明用媒体が備えた記憶手段の個人情報記録領域に記録する記録手段と、
を具備したことを特徴とする証明用媒体発行装置。
【請求項５】
情報を記憶する記憶手段を備え、かつ、当該証明用媒体所有者の個人情報および顔画像が表面に記録されていて、前記記憶手段には前記個人情報に対応する個人情報および当該証明用媒体が利用されるごとに最新のものに更新される当該証明用媒体の利用時に本人確認のための顔照合に利用される第１の顔情報が記録される証明用媒体を受入れ、この受入れた証明用媒体の前記記憶手段から顔情報を読取る読取手段と、
当該証明用媒体を所持する所持者の顔画像を取得する画像取得手段と、
この画像取得手段により取得された顔画像と前記読取手段により読取られた顔情報とを照合することにより両情報の類似度を求め、この求めた類似度により当該所持者は本人であるか否かを判定する照合手段と、
この照合手段の照合結果を出力する出力手段と、
前記受入れた証明用媒体の前記記憶手段に記録されている第１の顔情報を前記画像取得手段により取得された顔画像に基づき更新する更新手段と、
を具備したことを特徴とする顔照合装置。
【請求項６】
前記証明用媒体の記憶手段には、さらに、前記表面に記録された顔画像に基づき作成され、当該証明用媒体の利用時に本人確認のための顔照合に利用される第２の顔情報が記録されており、
前記照合手段は、前記画像取得手段により取得された顔画像と前記読取手段により読取られた第１の顔情報および第２の顔情報とをそれぞれ照合することにより両情報の類似度を求め、この求めた類似度により当該所持者は本人であるか否かを判定することを特徴とする請求項５記載の顔照合装置。
【請求項７】
前記証明用媒体の記憶手段には、さらに、当該証明用媒体の利用時に本人確認のための顔照合を行なった際に過去最高類似度が得られた第３の顔情報が記録されており、
前記照合手段は、前記画像取得手段により取得された顔画像と前記読取手段により読取られた第１の顔情報および第２の顔情報とをそれぞれ照合することにより両情報の類似度を求め、この求めた類似度により当該所持者は本人であるか否かを判定し、
前記更新手段は、前記受入れた証明用媒体の前記記憶手段に記録されている第１の顔情報を前記画像取得手段により取得された顔画像に基づき更新するとともに、前記照合手段において過去最高類似度が得られた場合、当該最高類似度が得られた顔画像に基づき前記受入れた証明用媒体の前記記憶手段に記録されている第３の顔情報を更新することを特徴とする請求項５記載の顔照合装置。
【発明の詳細な説明】
【技術分野】
【０００１】
本発明は、たとえば、自動車の運転免許証、各種スポーツクラブの会員証、各種ＩＤカード（カード型や通帳型を含む）などの顔画像付の証明用媒体、および、この証明用媒体を発行する証明用媒体発行装置、および、この証明用媒体を用いて顔照合を行なう顔照合装置に関する。
【背景技術】
【０００２】
たとえば、運転免許証のように、所有者の顔画像や人定事項（個人情報）を券面上に印刷する証明用媒体がある。それらの証明用媒体では、偽変造対策と本人確認の迅速化のため、証明用媒体に内蔵されたＩＣチップに情報を記録することが計画されている。また、情報として記録された顔画像を使用して本人確認を機械化して省力化を推進しようとの計画もある。
【発明の開示】
【発明が解決しようとする課題】
【０００３】
最近、身分証明書などの証明用媒体は、偽造防止などの目的でＩＣカード化が進んでいる。証明用媒体に顔画像あるいは顔照合するための顔情報（テンプレート）を記録して、本人確認を自動照合することが検討されている。しかしながら、現在検討されているシステムでは以下のような問題点がある。
【０００４】
一般の入退室管理システムと異なり、この種の証明用媒体は５年あるいは１０年間有効である。電磁的記録の寿命は満足できても、証明用媒体所有者の顔自体が年数を経るごとにだんだん変化してしまい、元の顔写真と異なってしまう。そのため、数年経た後には照合率が低下することが懸念される。
【０００５】
証明用媒体は５年あるいは１０年に１回発行するため、申請者が写真撮影に慣れていないこともあり、普段と異なる表情で撮影されてしまう虞れがある。表情が異なると照合率に影響のある虞れがある。
【０００６】
顔照合は顔の撮影方向や照明条件に左右されるが、このような証明用媒体の運用では、発行時の撮影条件と照合時（本人確認時）の撮影条件とが異なる場合が想定され、照合率に影響のある虞れがある。
【０００７】
そこで、本発明は、顔の経年変化に対応することができ、よって顔照合の照合率が向上し、事務の効率化や審査の省力化、所持者へのサービス向上が図れる証明用媒体、証明用媒体発行装置および顔照合装置を提供することを目的とする。
【課題を解決するための手段】
【０００８】
本発明の証明用媒体は、情報を記憶する記憶手段を備え、かつ、当該証明用媒体所有者の個人情報および顔画像が表面に記録されていて、前記記憶手段には前記個人情報に対応する個人情報および当該証明用媒体が利用されるごとに最新のものに更新される当該証明用媒体の利用時に本人確認のための顔照合に利用される第１の顔情報が記録されることを特徴とする。
【０００９】
本発明の証明用媒体発行装置は、人物の顔画像を取得する画像取得手段と、前記人物の証明用媒体発行に必要な個人情報を取得する個人情報取得手段と、前記画像取得手段により取得された顔画像および当該顔画像に対応する前記個人情報取得手段により取得された個人情報を、少なくとも個人情報記録領域および当該証明用媒体が利用されるごとに最新のものに更新される当該証明用媒体の利用時に本人確認のための顔照合に利用される顔情報が記録される顔情報記録領域を有する記憶手段を備えた未発行状態の証明用媒体の表面に印刷する印刷手段と、前記個人情報取得手段により取得された個人情報および前記画像取得手段により取得された顔画像を前記証明用媒体が備えた記憶手段の個人情報記録領域に記録する記録手段とを具備している。
【００１０】
本発明の顔照合装置は、情報を記憶する記憶手段を備え、かつ、当該証明用媒体所有者の個人情報および顔画像が表面に記録されていて、前記記憶手段には前記個人情報に対応する個人情報および当該証明用媒体が利用されるごとに最新のものに更新される当該証明用媒体の利用時に本人確認のための顔照合に利用される第１の顔情報が記録される証明用媒体を受入れ、この受入れた証明用媒体の前記記憶手段から顔情報を読取る読取手段と、当該証明用媒体を所持する所持者の顔画像を取得する画像取得手段と、この画像取得手段により取得された顔画像と前記読取手段により読取られた顔情報とを照合することにより両情報の類似度を求め、この求めた類似度により当該所持者は本人であるか否かを判定する照合手段と、この照合手段の照合結果を出力する出力手段と、前記受入れた証明用媒体の前記記憶手段に記録されている第１の顔情報を前記画像取得手段により取得された顔画像に基づき更新する更新手段とを具備している。
【発明の効果】
【００１１】
本発明によれば、顔の経年変化に対応することができ、よって顔照合の照合率が向上し、事務の効率化や審査の省力化、所持者へのサービス向上が図れる証明用媒体、証明用媒体発行装置および顔照合装置を提供できる。
【発明を実施するための最良の形態】
【００１２】
以下、本発明の実施の形態について図面を参照して説明する。  
図１は、本実施の形態に係る証明用媒体発行装置の構成を概略的に示すものである。この証明用媒体発行装置は、たとえば、運転免許証などの顔画像付き証明用媒体を発行するもので、発行サーバ１１、認証サーバ１２、ルータ１３、読取端末装置１４，１５、および、作成端末装置１６を有して構成されていて、これらの各機器はＬＡＮなどの通信回線１７で接続され、互いに通信することができるようになっている。
【００１３】
発行サーバ１１は、証明用媒体の発行情報、履歴情報、審査内容などを記録するコンピュータである。  
認証サーバ１２は、作成端末装置１６から送信されるデータを基に電子署名を作成して返送するコンピュータである。なお、認証サーバ１２は、ルータ１３経由で接続されるＷＡＮ上に設置することも可能である。
【００１４】
ルータ１３は、回線網２２と接続するネットワーク機器であり、外部から電子署名の確認や、発行サーバ１１上の発行履歴情報の参照を受付けることができる。
【００１５】
読取端末装置１４は、申請者の顔写真や著名画像の読取り、発行情報（個人情報など）の入力（取得）などを行なうもので、読取用のスキャナ１８が接続されている。読取端末装置１５は、申請者の顔画像を直接入力したり、発行情報（個人情報など）の入力（取得）などを行なうもので、申請者の顔画像を撮影するための電子カメラ１９が接続されている。
【００１６】
作成端末装置１６は、証明用媒体の印刷やＩＣチップへの記録を行なうものであり、印刷機２０およびＩＣリーダライタ２１が接続されている。  
図２は、本実施の形態に係る顔照合装置の構成を概略的に示すものである。この顔照合装置は、図１の証明用媒体発行装置で発行された証明用媒体を用いて顔照合を行なうもので、審査サーバ３１、ルータ３２、および、審査端末装置３３，３４を有して構成されていて、これらの各機器はＬＡＮなどの通信回線３５で接続され、互いに通信することができるようになっている。
【００１７】
審査サーバ３１は、審査リスト（ブラックリスト）および審査履歴情報などを記録するコンピュータである。  
ルータ３２は、回線網３６と接続するネットワーク機器であり、電子署名を外部に確認するなどの通信を実施することができる。
【００１８】
審査端末装置３３，３４は、証明用媒体のＩＣチップに対する読取りや書込み、証明用媒体所有者の生画像（顔画像）の入力（取得）、入力された生画像とＩＣチップから読取った顔情報との照合、ＩＣチップ内の顔情報の更新などを行なうもので、証明用媒体所有者の生画像（顔画像）を撮影する電子カメラ３７，３８、ＩＣリーダライタ３９，４０が接続されている。
【００１９】
図３は、発行された証明用媒体の一例を示すものである。本実施の形態では、証明用媒体５１としてＩＣカードを用いており、記憶手段としてＩＣチップ（メモリチップ）５５を内蔵している。証明用媒体（ＩＣカード）５１の表面には、種別を表すタイトル５２、顔画像（顔写真）５３、発行番号、氏名、生年月日、性別、住所、発行年月日、有効期限、署名などの個人情報５４がそれぞれ印刷される。個人情報５４の内容は証明用媒体によって異なる。また、必要に応じて、カラー印刷や両面印刷を実施することもできる。
【００２０】
証明用媒体５１として用いるＩＣカードは、ＩＣリーダライタ２１，３９，４０との間で無線で通信を行なう非接触式のＩＣカード、あるいは、ＩＣリーダライタ２１，３９，４０との間でコンタクト部を介して通信を行なう接触式のＩＣカードのいずれであってもよい。
【００２１】
図４は、証明用媒体５１に内蔵されたＩＣチップ５５の記録情報例を示すものである。ＩＣチップ５５は、大きく別けて個人情報記録領域５５ａおよび顔情報記録領域５５ｂを有し、個人情報記録領域５５ａには、証明用媒体５１の表面に印刷する券面情報、顔写真、電子署名などの発行情報が記録される。発行番号、氏名、生年月日、性別、住所、発行年月日、有効期限は券面情報であり、証明用媒体５１の表面に印刷した内容と同一の情報が記録される。顔写真は証明用媒体５１の表面に印刷した顔写真と同一の画像である。電子署名は発行番号から顔写真までの各情報を認証サーバ１２へ送信して作成したものである。
【００２２】
顔情報記録領域５５ｂには、オリジナル顔情報テンプレート、最新顔情報テンプレート、および、最高類似度顔情報テンプレートがそれぞれ記録される。オリジナル顔情報テンプレートは、証明用媒体５１の表面に印刷した顔写真の画像を顔照合用の顔情報（テンプレート）に変換したものである。
【００２３】
最新顔情報テンプレートは、最後に審査（顔照合）を実施した際に照合用に生画像として取得された顔画像を顔照合用の顔情報（テンプレート）に変換したものである。これにより、常にチップ５５内に最新の顔情報テンプレートを保持することができる。
【００２４】
最高類似度顔情報テンプレートは、審査時（顔照合時）に顔照合を実施した際に過去一番類似度の高かった顔画像を顔照合用の顔情報（テンプレート）に変換したものである。また、最高類似度顔情報テンプレートに付加されている類似度は、その際の類似度の得点を示している。
【００２５】
人が一番自然な表情をしている瞬間の顔画像が、過去で一番類似度が高かったと推測できるため、それを記録しておいて照合に利用することにより、照合率を向上させることができる。図４の例では、テンプレートをそれぞれ１から３までの３種類記録することとしている。たとえば、最新から過去３回分まで記録することが可能である。
【００２６】
また、たとえば、最高から３回分の類似度の顔情報を記録することも可能である。あるいは、人物に対して微妙に異なる３角度（方向）から撮影した３つの顔画像を記録することもでき、角度の有無によって照合率を向上させることができる。また、各顔画像に対して異なる照明条件（明から暗）で記録しておくことによって、異なる照明条件での照合率を向上させることも可能である。
【００２７】
なお、図４の例ではそれぞれ３種類の顔情報としたが、ＩＣチップ５５の記録容量が許せば１種類以上、何種類あってもよい。また、複数の顔画像ではなく、連続した駒の動画を使用することにより、照合率の向上を図ることも可能である。
【００２８】
図５は、審査端末装置３３，３４における表示画面例を示すものである。画面の右側にＩＣチップ５５から読取った個人情報（人定事項）ａが表示される。この個人情報ａを利用して審査リスト（ブラックリスト）を検索した結果も表示することができる。画面の左側が顔画像である。顔画像ｂは当該証明用媒体の所有者をライブで撮影した顔画像であり、顔画像ｃはＩＣチップ５５から読取った顔情報である。これらを顔照合アルゴリズムで照合し、あらかじめ設定した閾値以上の類似度が得られない場合は、画面上の写真画像周辺の色を変えて警告表示する。審査官は、両方の画像を見比べて人間系で同一人かどうかを判断することができる。
【００２９】
図６は、図１の証明用媒体発行装置により証明用媒体を発行する際のフローチャートであり、以下、このフローチャートを参照して証明用媒体の発行処理を説明する。
【００３０】
まず、読取端末装置１４または１５において、申請者の顔画像を取得する（ステップＳ１）。すなわち、カメラ１９を用いる場合には、申請者の顔画像をその場で撮影し、デジタル画像情報として入力する。あるいは、申請者があらかじめ用意した申請書に顔写真が貼付されている場合、これをスキャナ１８にセットすることにより、申請者の顔写真および署名画像を読取り入力する。これら入力された画像は読取端末装置１４（１５）の表示画面に表示され、正しく取得できていることを確認できるようになっている。
【００３１】
次に、読取端末装置１４（１５）の表示画面上から、図示しないキーボードを用いて登録に必要な個人情報を入力する（ステップＳ２）。本実施の形態では、たとえば、発行番号、氏名、生年月日、性別、住所、発行年月日、有効期限などのなどの個人情報であり、これらを入力する。
【００３２】
次に、ステップＳ２で入力された個人情報に基づき、発行サーバ１１内の審査リストを用いて審査リストチェック（ブラックリストチェック）を行なうとともに、発行サーバ１１内の発行履歴データベースを検索することにより、２重申請チェックを実施する（ステップＳ３，Ｓ４）。ここでチェックに該当した場合は、人間系審査で扱いを検討する（ステップＳ５）。
【００３３】
次に、ステップＳ３，Ｓ４においてチェックに該当しない場合は、ステップＳ１で取得した顔画像からオリジナル顔情報テンプレートを作成する（ステップＳ６）。次に、たとえば、表面に印刷する券面情報（個人情報など）およびステップＳ１で取得した顔画像を認証サーバ１２へ送ることにより、電子署名を作成する（ステップＳ７）。
【００３４】
次に、印刷機２０により、券面情報およびステップＳ１で取得した顔画像を用いて証明用媒体５１の表面に印刷を行なう（ステップＳ８）。次に、ＩＣリーダライタ２１により、印刷した券面情報、顔画像、ステップＳ７で作成した電子署名、ステップＳ６で作成したオリジナル顔情報テンプレートを内蔵したメＩＣチップ５５に電子データとして記録（記憶）する（ステップＳ９）。このとき、ＩＣチップ５５からいま記録した内容を読出して、ベリファイチェックすることで、正しく記録できたことを確認する。
【００３５】
次に、発行した証明用媒体５１の券面情報および画像情報などを発行履歴情報として発行サーバ１１に記録し（ステップＳ１０）、発行処理を終了する。  
以上の処理により、たとえば、図３に示したような証明用媒体５１が発行される。
【００３６】
図７は、上記のように発行された証明用媒体５１を用いて図２の顔照合装置により顔照合する際のフローチャートであり、以下、このフローチャートを参照して顔照合の処理を説明する。
【００３７】
まず、審査端末装置３３または３４において、ＩＣリーダライタ３９または４０を用いて証明用媒体５１のＩＣチップ５５から各種情報を読取る（ステップＳ２１）。次に、証明用媒体５１のＩＣチップ５５から読取った電子署名の正当性の確認を行なう（ステップＳ２２）。
【００３８】
次に、カメラ３７（３８）により、当該証明用媒体５１を所有する所有者のライブ顔画像を撮影する（ステップＳ２３）。次に、審査端末装置３３（３４）により、ステップＳ２１でＩＣチップ５５から読取った顔情報テンプレートとステップＳ２３で取得した顔画像とを顔照合アルゴリズムで照合する（ステップＳ２４）。このとき、ＩＣチップ５５にオリジナル顔情報テンプレートの外に、最新顔情報テンプレート、最高類似度顔情報テンプレートも記録されていれば、これら全ての顔情報テンプレートとステップＳ２３で取得した顔画像とが照合される。  
次に、ステップＳ２１で読取った個人情報に基づき、審査サーバ３１内の審査リストを検索することによりブラックリストチェックなどを行なう（ステップＳ２５）。
【００３９】
次に、審査端末装置３３（３４）により、ステップＳ２４の照合結果およびステップＳ２５の検索結果を図示しない表示部に表示する（ステップＳ２６）。ステップＳ２５の検索結果、審査リストに該当した場合はその旨のメッセージを表示し、ステップＳ２４の照合結果、あらかじめ設定された閾値以上の類似度が得られない場合は、たとえば、画面に表示された顔画像の周辺の色を変えるなどすることにより、警告表示する。
【００４０】
次に、以上の結果を基に審査官は人間系の審査を実施する（ステップＳ２７）。人間系審査を実施したら、審査官は審査結果を表示画面上で入力し（ステップＳ２８）、審査サーバ３１に審査履歴を記録する（ステップＳ２９）。  
最後に、証明用媒体５１のＩＣチップ５５内の顔画像テンプレートの更新処理を行なう（ステップＳ３０）。この更新処理は、最新顔情報テンプレートを今回取得した顔画像（ステップＳ２３で取得した顔画像）に基づき更新するとともに、今回の顔照合で最高類似度顔が得られた場合には、最高類似度顔情報テンプレートも今回取得した顔画像に基づき更新する。更新処理を行なった後はベリファイチェックを行なう。
【００４１】
なお、上述した顔照合装置では、自動顔照合を用いた審査支援を行なうが、審査自体を無人で実施することも可能である。その場合は、審査ＯＫできない場合は、画面上での通知などで有人審査ブースへ当該証明用媒体の所持者を誘導することとなる。
【００４２】
以上説明したように上記実施の形態によれば、以下の作用効果により顔照合の照合率が向上し、事務の効率化や審査の省力化、証明用媒体の所持者へのサービス向上を図ることができる。
【００４３】
(1) 照合する度に顔情報テンプレートを更新して、最新あるいは過去数回分をＩＣチップ内に記録しておくことにより、証明用媒体の所持者の顔の経年変化に対応することができる。
【００４４】
(2) 過去最高あるいは類似度の高い顔情報テンプレートを常にＩＣチップ内に記録しておくことにより、類似度が高く一番自然な表情で情報採取できた可能性のある顔画像を保持することができる。
【００４５】
(3) 各画像に対して、複数の画像や動画（連続コマ画像）で顔情報テンプレートを連続的に採取する。
【００４６】
(4) 各画像に対して微妙に異なる角度で顔情報テンプレートを記録して、角度の異なる場合に対応する。
【００４７】
(5) 各画像に対して異なる照明（明〜暗）条件で顔情報テンプレートを記録して、明るさの違いに対応する。
【００４８】
(6) 上記各点は記録エリアの容量によって、照合率が期待できそうな最小限の内容に絞ることができる。
【図面の簡単な説明】
【００４９】
【図１】本発明の実施の形態に係る証明用媒体発行装置の構成を概略的に示すブロック図。
【図２】本発明の実施の形態に係る顔照合装置の構成を概略的に示すブロック図。
【図３】発行された証明用媒体の一例を示す平面図。
【図４】証明用媒体に内蔵されたＩＣチップの記録情報例を示す図。
【図５】審査端末装置における表示画面例を示す
【図６】証明用媒体発行装置により証明用媒体を発行する際の流れを説明するフローチャート。
【図７】発行された証明用媒体を用いて顔照合装置により顔照合する際の流れを説明するフローチャート。
【符号の説明】
【００５０】
１１…発行サーバ、１２…認証サーバ、１４，１５…読取端末装置、１６…作成端末装置、１７…通信回線、１８…スキャナ、１９…カメラ、２０…印刷機、２１…ＩＣリーダライタ、３１…審査サーバ、３３，３４…審査サーバ、３５…通信回線、３７，３８…カメラ、３９，４０…ＩＣリーダライタ、５１…証明用媒体、５２…タイトル、５３…顔画像（顔写真）、５４…個人情報、５５…ＩＣチップ（メモリチップ、記憶手段）、５５ａ…個人情報記録領域、５５ｂ…顔情報記録領域。
【図１】
2005122395.tif 000003
【図２】
2005122395.tif 000004
【図３】
2005122395.tif 000005
【図４】
2005122395.tif 000006
【図５】
2005122395.tif 000007
【図６】
2005122395.tif 000008
【図７】
2005122395.tif 000009